(57)【要約】【課題】ハンドジェスチャー又は図形で操作するタッチコントロールロック回路構造及び操作する方法の提供。【解決手段】本発明はハンドジェスチャー又は図形でタッチコントロールロックを操作する方法を提供し、それは、使用者が手指でタッチパネルの複数のタッチコントロールポイントにタッチし、並びに特定ハンドジェスチャー或いは図形を形成して、電子信号を送出し、マイクロコントロールユニットにより該タッチパネルの電子信号を処理し、並びに該電子信号が有効な入力であるか否かを判断し、該マイクロコントロールユニットにより入力されたハンドジェスチャー或いは図形が有効な入力であるか否かを判断し、タッチコントロール命令処理ユニットが保存するハンドジェスチャー或いは図形の正確なデータをキャプチャし、並びに入力されたハンドジェスチャー或いは図形と比較し、並びに該入力されたハンドジェスチャー或いは図形が有効な入力であるか否かを判断し、制御命令を応用装置に送出して対応する動作を行わせる、以上のステップを包含する。【選択図】図４
2011129084.tif 000002
【特許請求の範囲】
【請求項１】
ハンドジェスチャー又は図形で操作するタッチコントロールロック回路構造において、  複数のタッチコントロールポイントが設置されて、使用者が手指でタッチする位置を検出し、並びに電子信号を出力するタッチパネルと、
該タッチパネルの出力した電子信号を受信し、並びに該電子信号を演算処理した後に使用者の手指タッチ位置の実際値とタッチ順序を獲得するマイクロコントロールユニットと、
ハンドジェスチャー或いは図形の正確なデータを保存し、並びに該マイクロコントロールユニットの獲得した使用者の手指のタッチ位置の実際値とタッチ順序を獲得し、該タッチ位置の実際値が有効値であるか否かを判断し、並びに該タッチ順序がハンドジェスチャー或いは図形の正確なデータに符合するか否かを比較判断し、並びに制御命令を応用装置に送出するタッチコントロール命令処理ユニットと、
を包含することを特徴とする、ハンドジェスチャー又は図形で操作するタッチコントロールロック回路構造。
【請求項２】
請求項１記載のハンドジェスチャー又は図形で操作するタッチコントロールロック回路構造において、該タッチコントロール命令処理ユニットは該マイクロコントロールユニット内部にビルトインされたことを特徴とする、ハンドジェスチャー又は図形で操作するタッチコントロールロック回路構造。
【請求項３】
請求項１記載のハンドジェスチャー又は図形で操作するタッチコントロールロック回路構造において、該応用装置は、コンピュータ、セイフティーボックス、住居或いはオフィスのプッシュボタン式電子ロック、電子玩具のタッチコントロール命令入力装置、アクセスコントローラー、及びマルチプッシュボタン入力装置のいずれかとされることを特徴とする、ハンドジェスチャー又は図形で操作するタッチコントロールロック回路構造。
【請求項４】
請求項１記載のハンドジェスチャー又は図形で操作するタッチコントロールロック回路構造において、該タッチコントロール命令処理ユニットは保存装置を具備することを特徴とする、ハンドジェスチャー又は図形で操作するタッチコントロールロック回路構造。
【請求項５】
請求項４記載のハンドジェスチャー又は図形で操作するタッチコントロールロック回路構造において、該保存装置はフラッシュメモリ或いは電気的消去可能ＲＯＭのいずれかとされることを特徴とする、ハンドジェスチャー又は図形で操作するタッチコントロールロック回路構造。
【請求項６】
請求項１記載のハンドジェスチャー又は図形で操作するタッチコントロールロック回路構造において、該タッチパネルは抵抗膜式或いは静電容量式のいずれかとされることを特徴とする、ハンドジェスチャー又は図形で操作するタッチコントロールロック回路構造。
【請求項７】
ハンドジェスチャー或いは図形でタッチコントロールロックを操作する方法において、  ａ．使用者が手指でタッチパネルの複数のタッチコントロールポイントに接触し、並びに特定ハンドジェスチャー或いは図形を形成することで、電子信号を送出するステップ、
ｂ．マイクロコントロールユニットを利用して該タッチパネルの電子信号を処理し、並びに該電子信号が有効な入力であるか否かを判断するステップ、
ｃ．該マイクロコントロールユニットを利用して入力されたハンドジェスチャー或いは図形が有効な入力であるか否かを判断するステップ、
ｄ．タッチコントロール命令処理ユニットの保存するハンドジェスチャー或いは図形の正確なデータをキャプチャし、並びに入力されたハンドジェスチャー或いは図形と対比し、並びに該入力されたハンドジェスチャー或いは図形が有効な入力であるか否かを判断するステップ、
ｅ．制御命令を応用装置に送出して対応する動作を行わせるステップ、
以上のステップを包含することを特徴とする、ハンドジェスチャー或いは図形でタッチコントロールロックを操作する方法。
【請求項８】
請求項７記載のハンドジェスチャー或いは図形でタッチコントロールロックを操作する方法において、ｅのステップの実行装置は該マイクロコントロールユニット或いは該タッチコントロール命令処理ユニットのいずれかとされることを特徴とする、ハンドジェスチャー或いは図形でタッチコントロールロックを操作する方法。
【請求項９】
請求項７記載のハンドジェスチャー或いは図形でタッチコントロールロックを操作する方法において、ｂのステップの実行結果が有効であれば、ｃのステップを実行し、無効であれば、ａのステップを実行することを特徴とする、ハンドジェスチャー或いは図形でタッチコントロールロックを操作する方法。
【請求項１０】
請求項７記載のハンドジェスチャー或いは図形でタッチコントロールロックを操作する方法において、ｃのステップの実行結果が有効であれば、ｄのステップを実行し、無効であれば、ａのステップを実行することを特徴とする、ハンドジェスチャー或いは図形でタッチコントロールロックを操作する方法。
【請求項１１】
請求項７記載のハンドジェスチャー或いは図形でタッチコントロールロックを操作する方法において、ｄのステップの実行結果が有効であれば、ｅのステップを実行し、無効であれば、ａのステップを実行することを特徴とする、ハンドジェスチャー或いは図形でタッチコントロールロックを操作する方法。
【発明の詳細な説明】
【技術分野】
【０００１】
本発明はハンドジェスチャー又は図形で操作するタッチコントロールロックに係り、特に、コンピュータ起動の前に、タッチコントロールロックが設置され安全防護スイッチとされ、使用者が正確なハンドジェスチャー或いは図形を入力しなければ、該タッチコントロールロックをアンロックできず、使用者が該ハンドジェスチャー或いは図形を容易に記憶でき、個人データが盗まれて該個人データが入力されて、コンピュータ内の機密データが盗まれるのを防止でき、コンピュータデータの安全性を確保できるようにした技術に関する。
【背景技術】
【０００２】
タッチパネルの起源は、１９７０年に米軍が軍事用途に開発したことに始まり、１９８０年代に、技術が民間に移転され、各種用途が発展した。伝統的な電子計算装置（例えばコンピュータ）の入力方式は、キーボード或いはマウス等の周辺設備を入力インタフェースとしているが、これらの周辺入力装置の体積は過大であって携帯しにくく、電子製品の薄型化の大きな障害となる。薄型化電子装置の要求のため、タッチパネルはポータブル電子製品にあって、次第に消費者の注目を集め、頭角を表してきた。このほか、タッチパネルは個人のポータブル情報製品に応用されるほかにも、応用領域は情報家電、公共情報通信設備、オフィスオートメーション設備、情報収集設備、及び工業設備等の領域に拡張され、これによりタッチパネルの研究発展は、近年、電子産業発展の重心になりつつある。
【０００３】
一般にタッチコントロール装置のほとんどは、タッチパネル及び家電製品のスイッチへの応用であり、多方面への応用はいまだ実現しておらず、本発明はさらに多くの応用を可能とする技術手段を提供する。
【発明の概要】
【発明が解決しようとする課題】
【０００４】
上述の周知の技術の欠点を解決するため、本発明はハンドジェスチャー又は図形で操作するタッチコントロールロックを提供し、その主要な目的は、コンピュータ起動の前に、タッチコントロールロックが設置され安全防護スイッチとされ、使用者が正確なハンドジェスチャー或いは図形を入力しなければ、該タッチコントロールロックをアンロックできず、使用者が該ハンドジェスチャー或いは図形を容易に記憶でき、個人データが盗まれて該個人データが入力されて、コンピュータ内の機密データが盗まれるのを防止でき、コンピュータデータの安全性を確保できるようにすることにある。
【０００５】
本発明の別の目的は、伝統的なダイアル式或いはボタン式のセイフティーボックスロックのアンロックの代わりに採用されて、より良好な安全性を提供することにある。
【０００６】
本発明の別の目的は、一般の住居或いはオフィスのプッシュボタン式電子ドアロックの代わりに採用されて、より良好な安全性を提供することにある。
【０００７】
本発明の別の目的は、電子玩具（例えば電子犬、電子恐竜、電子ロボット）のタッチコントロール命令入力装置とされて、命令入力が容易でスピーディーな長所を具備することにある。
【０００８】
本発明の別の目的は、アクセスコントローラーのタッチコントロール命令入力装置とされて、命令入力が容易でスピーディーな長所を具備する。
【０００９】
本発明の別の目的は、簡単なジェスチャー命令を煩瑣なマルチキー入力装置の代わりに利用することにある。
【課題を解決するための手段】
【００１０】
上述の目的を達成するため、本発明は一種のハンドジェスチャー又は図形で操作するタッチコントロールロック回路構造を提供し、それは、
複数のタッチコントロールポイントが設置されて、使用者が手指でタッチする位置を検出し、並びに電子信号を出力するタッチパネルと、
該タッチパネルの出力した電子信号を受信し、並びに該電子信号を演算処理した後に使用者の手指タッチ位置の実際値とタッチ順序を獲得するマイクロコントロールユニットと、
ハンドジェスチャー或いは図形の正確なデータを保存し、並びに該マイクロコントロールユニットの獲得した使用者の手指のタッチ位置の実際値とタッチ順序を獲得し、該タッチ位置の実際値が有効値であるか否かを判断し、並びに該タッチ順序がハンドジェスチャー或いは図形の正確なデータに符合するか否かを比較判断し、並びに制御命令を応用装置に送出するタッチコントロール命令処理ユニットと、
を包含する。
【００１１】
上述の目的を達成するため、本発明は一種のハンドジェスチャー或いは図形でタッチコントロールロックを操作する方法を提供し、それは、
ａ．使用者が手指でタッチパネルの複数のタッチコントロールポイントに接触し、並びに特定ハンドジェスチャー或いは図形を形成することで、電子信号を送出するステップ、
ｂ．マイクロコントロールユニットを利用して該タッチパネルの電子信号を処理し、並びに該電子信号が有効な入力であるか否かを判断するステップ、
ｃ．該マイクロコントロールユニットを利用して入力されたハンドジェスチャー或いは図形が有効な入力であるか否かを判断するステップ、
ｄ．タッチコントロール命令処理ユニットの保存するハンドジェスチャー或いは図形の正確なデータをキャプチャし、並びに入力されたハンドジェスチャー或いは図形と対比し、並びに該入力されたハンドジェスチャー或いは図形が有効な入力であるか否かを判断するステップ、
ｅ．制御命令を応用装置に送出して対応する動作を行わせるステップ、
以上のステップを包含する。
【発明の効果】
【００１２】
本発明のハンドジェスチャー又は図形で操作するタッチコントロールロックは、コンピュータ起動の前に、該タッチコントロールロックが設置されて安全防護スイッチとされ、使用者が正確なハンドジェスチャー或いは図形を入力しなければ、該タッチコントロールロックをアンロックできず、使用者が該ハンドジェスチャー或いは図形を容易に記憶でき、個人データが盗まれて該個人データが入力されて、コンピュータ内の機密データが盗まれるのを防止でき、コンピュータデータの安全性を確保できることが理解される。また、本発明は伝統的なダイアル式或いはプッシュボタン式のセイフティーボックスロックのロックに代わり使用され、より良好な安全性を提供する。また本発明は、一般の住居或いはオフィスのプッシュボタン式電子ドアロックの代わりに採用されて、より良好な安全性を提供する。さらに本発明は電子玩具（例えば電子犬、電子恐竜、電子ロボット）のタッチコントロール命令入力装置とされて、命令入力が容易でスピーディーな長所を具備する。また、本発明は、簡単なジェスチャー命令を煩瑣なマルチキー入力装置の代わりに利用する。上述の応用は、タッチコントロール装置市場で極めて高い商業価値を有する。
【図面の簡単な説明】
【００１３】
【図１】本発明のハンドジェスチャー又は図形で操作するタッチコントロールロックの機能ブロック図である。
【図２】本発明が使用するタッチパネル構造図である。
【図３Ａ】図２のタッチパネルで描かれる図形の実施例図である。
【図３Ｂ】図２のタッチパネルで描かれる図形の実施例図である。
【図３Ｃ】図２のタッチパネルで描かれる図形の実施例図である。
【図３Ｄ】図２のタッチパネルで描かれる図形の実施例図である。
【図３Ｅ】図２のタッチパネルで描かれる図形の実施例図である。
【図３Ｆ】図２のタッチパネルで描かれる図形の実施例図である。
【図４】本発明のハンドジェスチャー或いは図形でタッチコントロールロックを操作する方法のフローチャートである。
【発明を実施するための形態】
【００１４】
本発明に対し、よりご理解いただくため、以下に図面を参照し、具体的な実施例を提示して本発明の詳細な構造、及びその連結関係について説明を行う。
【００１５】
図１は本発明のハンドジェスチャー又は図形で操作するタッチコントロールロックの機能ブロック図である。それは、タッチパネル、マイクロコントロールユニット、タッチコントロール命令処理ユニットを包含する。該タッチパネルの種類は抵抗膜式或いは静電容量式のいずれかとされ、複数のタッチコントロールポイントが設置されて、使用者が手指でタッチする位置を検出し、並びに電子信号を出力する。該マイクロコントロールユニットは、該タッチパネルの出力した電子信号を受信し、並びに該電子信号を演算処理した後に使用者の手指タッチ位置の実際値とタッチ順序を獲得する。該タッチコントロール命令処理ユニットは、ハンドジェスチャー或いは図形の正確なデータを保存し、並びに該マイクロコントロールユニットの獲得した使用者の手指のタッチ位置の実際値とタッチ順序を獲得し、該タッチ位置の実際値が有効値であるか否かを判断し、並びに該タッチ順序がハンドジェスチャー或いは図形の正確なデータに符合するか否かを比較判断し、並びに制御命令を応用装置に送出する。該応用装置はコンピュータ、セイフティーボックス、住居或いはオフィスのプッシュボタン式電子ロック、電子玩具のタッチコントロール命令入力装置、アクセスコントローラー、及び複雑なマルチプッシュボタン入力装置のいずれかとされる。電子ドアロックに対する制御命令に関しては、もし入力ハンドジェスチャー或いは図形が正確であれば、開門、閉門の動作を行うことができ、入力エラーの時は、防衛或いは警報発生の動作を行ない、応用装置によって異なる選択機能を設置できる。
【００１６】
図２は本発明が使用するタッチパネル構造図である。そのタッチパネルは、実施例において５個のタッチコントロールポイントを具備し、５個のタッチコントロールポイントの配列は、外部の四つのタッチコントロールポイントが正方形を構成し、並びに正方形の中心に一つのタッチコントロールポイントが置かれ、これらの５個のタッチコントロールポイント（ａ，ｂ，ｃ，ｄ，ｅ）は使用者のハンドジェスチャーの違いにより、極めて多種類の異なる変化の図形を形成可能である。図３Ａ−図３Ｆは、図２のタッチパネルで描かれる図形の実施例図である。例えば、図３Ａは、タッチコントロールポイント順序（ｃ，ｄ，ｅ）を利用し、正方向三角形を描いている。図３Ｂは、タッチコントロールポイント順序（ａ，ｄ，ｅ，ｂ）を利用し、Ｕ字形を描いている。図３Ｃは、タッチコントロールポイント順序（ａ，ｄ，ｃ，ｂ）を利用し、Ｖ字形を描いている。図３Ｄは、タッチコントロールポイント順序（ａ，ｂ，ｃ）を利用し、逆方向三角形を描いている。図３Ｅは、タッチコントロールポイント順序（ａ，ｄ，ｅ）を利用し、Ｌ字形を描いている。図３Ｆは、タッチコントロールポイント順序（ｄ，ａ，ｃ，ｅ，ｂ）を利用し、Ｎ字形を描いている。以上は説明の例であり、本発明はタッチコントロールポイントの数量と描き出せる図形に制限はなく、タッチパネルが二つ以上のタッチコントロールポイントを有すれば（マトリクス配列としてもよい）、その描き出せる全てのハンドジェスチャー或いは図形は、いずれも本発明の保護の範疇に属する。描き出される複数のタッチコントロールポイント経路にも制限はなく、例えば、（ａ，ｂ，ｃ）の３点を描き出す必要がある場合、正確な経路はｂを開始点とし、ｃを第２点に設定し、且つａを第３点としなければ、正確に制御命令を伝送できないように設定することができる。さらに、タッチコントロールの図形も重複して描き出すことが可能で、例えば図３Ａの（ｃ，ｄ，ｅ）の正方向三角形は重複して３回描き出されなければ、正確に制御命令を伝送できず、これもまた本発明の応用の実施方法の一つである。
【００１７】
図４は本発明のハンドジェスチャー或いは図形でタッチコントロールロックを操作する方法のフローチャートであり、それは、以下の５１から５４のステップを包含する。
５１：使用者が手指でタッチパネルの複数のタッチコントロールポイントに接触し、並びに特定ハンドジェスチャー或いは図形を形成することで、電子信号を送出するステップ。
５２：マイクロコントロールユニットを利用して該タッチパネルの電子信号を処理し、並びに該電子信号が有効な入力であるか否かを判断するステップ、有効な入力であれば、ステップ５３を実行し、無効な入力であれば、ステップ５１を実行する。
５３：該マイクロコントロールユニットを利用して入力されたハンドジェスチャー或いは図形が有効な入力であるか否かを判断するステップ、有効な入力であれば、ステップ５４を実行し、無効な入力であれば、ステップ５１を実行する。
５４：タッチコントロール命令処理ユニットの保存するハンドジェスチャー或いは図形の正確なデータをキャプチャし、並びに入力されたハンドジェスチャー或いは図形と対比し、並びに該入力されたハンドジェスチャー或いは図形が有効な入力であるか否かを判断するステップ、有効な入力であれば、ステップ５５を実行し、無効な入力であれば、ステップ５１を実行する。
５５：制御命令を応用装置に送出して対応する動作を行わせるステップ、このステップの実行装置は該マイクロコントロールユニット或いは該タッチコントロール命令処理ユニットのいずれかとされる。
【００１８】
上述の図１から図４の記載により、明確に本発明のハンドジェスチャー又は図形で操作するタッチコントロールロックは、コンピュータ起動の前に、該タッチコントロールロックが設置されて安全防護スイッチとされ、使用者が正確なハンドジェスチャー或いは図形を入力しなければ、該タッチコントロールロックをアンロックできず、使用者が該ハンドジェスチャー或いは図形を容易に記憶でき、個人データが盗まれて該個人データが入力されて、コンピュータ内の機密データが盗まれるのを防止でき、コンピュータデータの安全性を確保できることが理解される。また、本発明は伝統的なダイアル式或いはプッシュボタン式のセイフティーボックスロックのロックに代わり使用され、より良好な安全性を提供する。また本発明は、一般の住居或いはオフィスのプッシュボタン式電子ドアロックの代わりに採用されて、より良好な安全性を提供する。さらに本発明は電子玩具（例えば電子犬、電子恐竜、電子ロボット）のタッチコントロール命令入力装置とされて、命令入力が容易でスピーディーな長所を具備する。また、本発明は、簡単なジェスチャー命令を煩瑣なマルチキー入力装置の代わりに利用する。上述の応用は、タッチコントロール装置市場で極めて高い商業価値を有し、ゆえに特許権により保護されるべきものである。
【００１９】
総合すると、本発明の構造特徴及び各実施例はいずれも詳細に開示され、十分に本発明の目的と作用効果の実施における進歩性と、産業上の利用価値が示され、ゆえに特許法の精神により、本発明は完全に特許の要件を具備するものである。
【００２０】
なお、以上の説明は、本発明の好ましい実施例に係るものにすぎず、本発明の実施の範囲を限定するものではなく、本発明の特許請求の範囲の記載に基づきなし得る均等の変化及び修飾は、いずれも本発明の特許請求の範囲内に属するものとする。
【符号の説明】
【００２１】
１  タッチパネル
ａ，ｂ，ｃ，ｄ，ｅ  タッチコントロールポイント
２  マイクロコントロールユニット
３  タッチコントロール命令処理ユニット
４  応用装置
【図１】
2011129084.tif 000003
【図２】
2011129084.tif 000004
【図３Ａ】
2011129084.tif 000005
【図３Ｂ】
2011129084.tif 000006
【図３Ｃ】
2011129084.tif 000007
【図３Ｄ】
2011129084.tif 000008
【図３Ｅ】
2011129084.tif 000009
【図３Ｆ】
2011129084.tif 000010
【図４】
2011129084.tif 000011